(57)【要約】【課題】記録媒体の発行、処理並びに精算に係る装置を大幅に変更することなく、消費税取得に伴って生じ得る残高の端数に効率良く対応することを課題とする。【解決手段】カード発行機２０が、パチンコ玉の貸出単位額（例えば１００円）に消費税（例えば５％）を加算した消費税内包貸出単位額（例えば１０５円＝１度数）に基づいて支払われた金額分に対応する度数を算出するとともに、この度数を算出する際に消費税内包貸出単位額未満の端数（例えば１００円未満）が生じた場合に、該算出された度数に一度数を加算して度数を調整し、調整した度数が関連づけられたプリペイドカードを発行する。【選択図】        図４
2006122099.tif 000002
【特許請求の範囲】
【請求項１】
支払われた金額分に対応する度数が関連付けられ、遊技機に併設された記録媒体処理装置で遊技媒体を供給処理する際に利用される記録媒体を発行する記録媒体発行装置であって、
前記遊技媒体の貸出単位額に消費税を加算した消費税内包貸出単位額に基づいて前記支払われた金額分に対応する度数を算出する度数算出手段と、
前記度数算出手段により度数を算出する際に前記消費税内包貸出単位額未満の端数が生じた場合に、該算出された度数に一度数を加算して度数を調整する度数調整手段と、
前記度数調整手段により調整された度数が関連づけられた記録媒体を発行する発行手段と
を備えたことを特徴とする記録媒体発行装置。
【請求項２】
支払った金額分の有価価値が関連付けられた記録媒体を受け入れ、該受け入れた記録媒体に関連付けられた残高から貸し出した遊技媒体数分の価値を減算しつつ前記残高を更新する記録媒体処理装置であって、
前記遊技媒体の貸出単位額に消費税を加算した消費税内包貸出単位額に基づいて前記記録媒体の残高が所在する範囲で前記遊技媒体の貸出処理を行う第１の貸出処理手段と、
前記記録媒体に関連付けられた残高が前記消費税内包貸出単位額未満の端数である場合に、一度数分の遊技媒体の貸出処理を行う第２の貸出処理手段と
を備えたことを特徴とする記録媒体処理装置。
【請求項３】
支払った金額分が関連付けられた有価価値から遊技機で貸し出した遊技媒体分の有価価値を減算した記録媒体を受け入れ、該受け入れた記録媒体に関連付けられた残高を現金に精算する記録媒体精算装置であって、
前記遊技媒体の貸出単位額に消費税を加算した消費税内包貸出単位額に基づいて前記遊技媒体の貸出処理を行った前記記録媒体の残高に、当該装置により払出し可能な任意の金種未満の端数があるか否かを判定する判定手段と、
前記判定手段により端数があると判定された場合に、当該端数分の遊技媒体、該端数分を価値付けした記録媒体若しくはレシートを投出する投出手段と
を備えたことを特徴とする記録媒体精算装置。
【請求項４】
支払われた金額分に対応する度数が関連付けられ、遊技機に併設された記録媒体処理装置で遊技媒体を供給処理する際に利用される記録媒体を発行する記録媒体発行方法であって、
前記遊技媒体の貸出単位額に消費税を加算した消費税内包貸出単位額に基づいて前記支払われた金額分に対応する度数を算出する度数算出工程と、
前記度数算出工程により度数を算出する際に前記消費税内包貸出単位額未満の端数が生じた場合に、該算出された度数に一度数を加算して度数を調整する度数調整工程と、
前記度数調整工程により調整された度数が関連づけられた記録媒体を発行する発行工程と
を含んだことを特徴とする記録媒体発行方法。
【請求項５】
支払った金額分の有価価値が関連付けられた記録媒体を受け入れ、該受け入れた記録媒体に関連付けられた残高から貸し出した遊技媒体数分の価値を減算しつつ前記残高を更新する記録媒体処理方法であって、
前記遊技媒体の貸出単位額に消費税を加算した消費税内包貸出単位額に基づいて前記記録媒体の残高が所在する範囲で前記遊技媒体の貸出処理を行う第１の貸出処理工程と、
前記記録媒体に関連付けられた残高が前記消費税内包貸出単位額未満の端数である場合に、一度数分の遊技媒体の貸出処理を行う第２の貸出処理工程と
を含んだことを特徴とする記録媒体処理方法。
【請求項６】
支払った金額分が関連付けられた有価価値から遊技機で貸し出した遊技媒体分の有価価値を減算した記録媒体を受け入れ、該受け入れた記録媒体に関連付けられた残高を現金に精算する記録媒体精算方法であって、
前記遊技媒体の貸出単位額に消費税を加算した消費税内包貸出単位額に基づいて前記遊技媒体の貸出処理を行った前記記録媒体の残高に、当該装置により払出し可能な任意の金種未満の端数があるか否かを判定する判定工程と、
前記判定工程により端数があると判定された場合に、当該端数分の遊技媒体、該端数分を価値付けした記録媒体若しくはレシートを投出する投出工程と
を含んだことを特徴とする記録媒体精算方法。
【発明の詳細な説明】
【技術分野】
【０００１】
本発明は、支払われた金額分に対応する度数が関連付けられ、遊技機に併設された記録媒体処理装置で遊技媒体を供給処理する際に利用される記録媒体の発行、処理および精算をおこなう記録媒体発行装置、記録媒体処理装置、記録媒体精算装置、記録媒体発行方法、記録媒体処理方法および記録媒体精算方法に関し、特に、記録媒体の発行、処理並びに精算に係る装置を大幅に変更することなく、消費税取得に伴って生じ得る残高の端数に効率良く対応することができる記録媒体発行装置、記録媒体処理装置、記録媒体精算装置、記録媒体発行方法、記録媒体処理方法および記録媒体精算方法に関する。
【背景技術】
【０００２】
従来、パチンコ店では、店内に配設されたカード発行機によりプリペイドカードに有価価値（投入金額若しくは度数）を価値付けるとともに、このプリペイドカードをパチンコ台に併設されたカードユニットで受け付けてパチンコ玉をパチンコ台に供給するカードシステムが導入されている。また、かかるプリペイドカードに残額若しくは残度数がある場合には、このプリペイドカードをカード精算機に投入することで、残額の精算を受けることもできる（特許文献１等を参照）。
【０００３】
ここで、上記カード発行機では、通常は紙幣のみを受け付け可能としており、１０００円、２０００円、３０００円、５０００円、１００００円（上限は１００００円）を価値付けられたプリペイドカードを発行するのが一般的である。
【０００４】
また、上記カードユニットでは、通常は１００円単位での玉貸しが可能であり、例えば遊技客がカードユニットにプリペイドカードを投入して１００円の玉貸し操作をおこなうと、２５個のパチンコ玉がパチンコ台に投出されることになる。なお、カードユニットに投入したプリペイドカードの残額若しくは残度数が残り少なくなった場合を考慮して、カードユニットに貨幣を追加入金すると、プリペイドカードに新たな金額若しくは度数を追加できるカードシステムが導入されることが多い。
【０００５】
さらに、上記カード精算機は、設置される遊技店と設置されない遊技店が混在しているのが実情であり、たとえカード精算機が設置された場合であっても、１００円以上の硬貨若しくは紙幣による返金しかおこなわない。プリペイドカードに価値づけられた残金若しくは残度数は、１００円単位でおこなわれるためである。
【０００６】
【特許文献１】特開２００２−３４６２００号公報
【発明の開示】
【発明が解決しようとする課題】
【０００７】
しかしながら、上記カードシステムでは、消費税の徴収に効率良く対応できないという問題がある。具体的には、プリペイドカードによる遊技媒体貸出時、該貸出遊技媒体数に対応する金額に対する消費税を徴収しようとすると、１度数（１００円）の玉貸を行なう度に５％の消費税相当額（５円）を回収する必要があるため、カードシステムで１度数当たり１０５円の残高を減算する処理を行わなければならない。これにより、例えば、１００００円のプリペイドカードを用いた各回の玉貸終了時の残額パターン（１０５円ずつ減少）は、１００００円→９８９５円→９７９０円→９６８５円→…となり、プリペイドカードには、１００円以下の端数残高（以下、単に「端数」と言う）が残ることとなる。
【０００８】
ここで、カードユニット（若しくはパチンコ台）の玉投出機構がプリペイドカードの端数に対応するパチンコ玉（例えば１０個）を投出できれば問題ないが、通常は、かかる玉投出機構は２５個単位の玉貸ししか行うことができず、結果的にプリペイドカードの端数分の玉貸しは行えないのが実情である。なお、全国には膨大な数のカードユニット（若しくはパチンコ台）が実運用されているため、これら全てのカードユニット（若しくはパチンコ台）の玉投出機構を１個単位の玉貸しを行えるよう機能変更することは事実上不可能である。
【０００９】
加えて、カード精算機で端数分を精算しようとした場合に、カード精算機に、１００円未満の硬貨を払い出す硬貨払出機構を設ければ、上記端数の精算が可能になるが、かかるカード精算機に１００円未満の硬貨払出機構を設けることとすると、（１）新たな硬貨払出機構の追加によりカード精算機がコストアップしてしまう、（２）カード精算機内部のスペースが限られているので、複数種類（１円、５円、１０円、５０円）の硬貨払出機構を搭載することが現実には難しい、（３）ただでさえ貨幣の補充や回収が煩雑であるにも係わらずその負担がさらに増加してしまう、（４）端数を精算する必要性が機会が累増するためカード精算機の台数を増やさざるを得ず遊技店の負担が増してしまう等の問題点が生ずる。
【００１０】
また、遊技者の立場から言えば、たとえ消費税分を上乗せしてプリペイドカードを販売することとしても、硬貨が足らない場合には多くの釣り銭を受け取らねばならないし、端数分の精算をカード精算機でおこなえたとしても、小銭（硬貨）を余り持ちたがらない遊技客が多いため、必ずしもサービス向上にはつながらない。
【００１１】
以上のことから、従来は、消費税分を遊技店側で負担する内税方式を採らざるを得ないのが実情であり、既存のカード発行機、カードユニットおよびカード精算機などの大幅に変更することなく、いかにして効率良く消費税を徴収するかが極めて重要な課題となっている。なお、かかる課題はパチンコ以外のスロットや他の遊技機を利用する場合にも共通する課題である。
【００１２】
この発明は、上記課題（問題点）に鑑みてなされたものであり、記録媒体の発行、処理並びに精算に係る装置を大幅に変更することなく、消費税取得に伴って生じ得る残高の端数に効率良く対応することができる記録媒体発行装置、記録媒体処理装置、記録媒体精算装置、記録媒体発行方法、記録媒体処理方法および記録媒体精算方法を提供することを目的とする。
【課題を解決するための手段】
【００１３】
上述した課題を解決するため、本発明は、支払われた金額分に対応する度数が関連付けられ、遊技機に併設された記録媒体処理装置で遊技媒体を供給処理する際に利用される記録媒体を発行する記録媒体発行装置であって、前記遊技媒体の貸出単位額（例えば１００円；以下、記録媒体処理装置が遊技媒体を貸し出しできる最小単位額を貸出単位額と言う）に消費税（例えば５％）を加算した消費税内包貸出単位額（例えば１０５円＝１度数）に基づいて前記支払われた金額分に対応する度数を算出する度数算出手段と、前記度数算出手段により度数を算出する際に前記消費税内包貸出単位額未満の端数（例えば１０５円未満）が生じた場合に、該算出された度数に一度数を加算して度数を調整する度数調整手段と、前記度数調整手段により調整された度数が関連づけられた記録媒体を発行する発行手段とを備えたことを特徴とする。
【００１４】
また、本発明は、支払った金額分の有価価値が関連付けられた記録媒体を受け入れ、該受け入れた記録媒体に関連付けられた残高から貸し出した遊技媒体数分の価値を減算しつつ前記残高を更新する記録媒体処理装置であって、前記遊技媒体の貸出単位額に消費税を加算した消費税内包貸出単位額に基づいて前記記録媒体の残高が所在する範囲で前記遊技媒体の貸出処理を行う第１の貸出処理手段と、前記記録媒体に関連付けられた残高が前記消費税内包貸出単位額未満の端数である場合に、一度数分の遊技媒体の貸出処理を行う第２の貸出処理手段とを備えたことを特徴とする。
【００１５】
また、本発明は、支払った金額分が関連付けられた有価価値から遊技機で貸し出した遊技媒体分の有価価値を減算した記録媒体を受け入れ、該受け入れた記録媒体に関連付けられた残高を現金に精算する記録媒体精算装置であって、前記遊技媒体の貸出単位額に消費税を加算した消費税内包貸出単位額に基づいて前記遊技媒体の貸出処理を行った前記記録媒体の残高に、当該装置により払出し可能な任意の金種未満の端数があるか否かを判定する判定手段と、前記判定手段により端数があると判定された場合に、当該端数分の遊技媒体、該端数分を価値付けした記録媒体若しくはレシートを投出する投出手段とを備えたことを特徴とする。
【００１６】
また、本発明は、支払われた金額分に対応する度数が関連付けられ、遊技機に併設された記録媒体処理装置で遊技媒体を供給処理する際に利用される記録媒体を発行する記録媒体発行方法であって、前記遊技媒体の貸出単位額に消費税を加算した消費税内包貸出単位額に基づいて前記支払われた金額分に対応する度数を算出する度数算出工程と、前記度数算出工程により度数を算出する際に前記消費税内包貸出単位額未満の端数が生じた場合に、該算出された度数に一度数を加算して度数を調整する度数調整工程と、前記度数調整工程により調整された度数が関連づけられた記録媒体を発行する発行工程とを含んだことを特徴とする。
【００１７】
また、本発明は、支払った金額分の有価価値が関連付けられた記録媒体を受け入れ、該受け入れた記録媒体に関連付けられた残高から貸し出した遊技媒体数分の価値を減算しつつ前記残高を更新する記録媒体処理方法であって、前記遊技媒体の貸出単位額に消費税を加算した消費税内包貸出単位額に基づいて前記記録媒体の残高が所在する範囲で前記遊技媒体の貸出処理を行う第１の貸出処理工程と、前記記録媒体に関連付けられた残高が前記消費税内包貸出単位額未満の端数である場合に、一度数分の遊技媒体の貸出処理を行う第２の貸出処理工程とを含んだことを特徴とする。
【００１８】
また、本発明は、支払った金額分が関連付けられた有価価値から遊技機で貸し出した遊技媒体分の有価価値を減算した記録媒体を受け入れ、該受け入れた記録媒体に関連付けられた残高を現金に精算する記録媒体精算方法であって、前記遊技媒体の貸出単位額に消費税を加算した消費税内包貸出単位額に基づいて前記遊技媒体の貸出処理を行った前記記録媒体の残高に、当該装置により払出し可能な任意の金種未満の端数があるか否かを判定する判定工程と、前記判定工程により端数があると判定された場合に、当該端数分の遊技媒体、該端数分を価値付けした記録媒体若しくはレシートを投出する投出工程とを含んだことを特徴とする。
【発明の効果】
【００１９】
本発明によれば、遊技媒体の貸出単位額に消費税を加算した消費税内包貸出単位額に基づいて支払われた金額分に対応する度数を算出するとともに、度数を算出する際に消費税内包貸出単位額未満の端数が生じた場合に、該算出された度数に一度数を加算して度数を調整し、調整した度数が関連づけられた記録媒体を発行するよう構成したので、遊技者が紙幣以外の硬貨を投入しなくとも記録媒体の発行時に消費税分を調整することができる。これにより、以後の記録媒体処理装置および記録媒体精算装置側で貸出単位額を変更するだけで円滑に記録媒体の処理や精算をおこなうことができる。
【００２０】
また、本発明によれば、遊技媒体の貸出単位額に消費税を加算した消費税内包貸出単位額に基づいて記録媒体の残高が所在する範囲で遊技媒体の貸出処理を行うとともに、記録媒体に関連付けられた残高が消費税内包貸出単位額未満の端数である場合に、一度数分の遊技媒体の貸出処理を行うよう構成したので、記録媒体に端数が残っている場合であっても記録媒体処理装置で端数に伴う問題を効率良く解消することができる。特に、かかる記録媒体処理装置側で端数の不足分を補っているので、記録媒体の残高を使い切ろうとする遊技客の意欲を高めることができる。
【００２１】
また、本発明によれば、遊技媒体の貸出単位額に消費税を加算した消費税内包貸出単位額に基づいて遊技媒体の貸出処理を行った記録媒体の残高に、当該装置により払出し可能な任意の金種未満の端数があるか否かを判定し、端数があると判定された場合に、当該端数分の遊技媒体、該端数分を価値付けした記録媒体若しくはレシートを投出するよう構成したので、消費税徴収に伴って生じる端数の問題を遊技媒体投出、記録媒体投出若しくはレシート投出により解消することができる。特に、遊技客および遊技店の両者から見て公平な調整を行い得るというメリットが得られる。
【発明を実施するための最良の形態】
【００２２】
以下に添付図面を参照して、本発明に係る遊技媒体貸出システム（記録媒体発行装置、記録媒体処理装置、記録媒体精算装置、記録媒体発行方法、記録媒体処理方法および記録媒体精算方法）の好適な実施例を詳細に説明する。なお、ここでは本発明をパチンコ遊技に適用した場合を示すこととする。
【実施例１】
【００２３】
まず、本実施例１に係る遊技媒体貸出システムの全体構成について説明する。図１は、本実施例１に係る遊技媒体貸出システムの全体構成を示すブロック図である。同図に示すように、この遊技媒体貸出システムは、遊技用記録媒体であるプリペイドカード５に対応付けて有価価値（残高）の管理を行なう管理装置１０と、現金などによる所定の購入操作に基づき、管理装置１０と通信して購入金額分の有価価値を残高として対応付けた後にプリペイドカード５を発行する処理を行うカード発行機２０と、「島」と呼ばれるグループ毎に設置される複数の遊技機４５に対応して配設され、プリペイドカード５を受け入れて対応する遊技機４５の遊技媒体であるパチンコ玉を貸出す処理を行い、その際、該プリペイドカード５に対応して管理される残高から遊技機４５に対して貸出された遊技媒体数分の価値を減算して残高の更新処理を行うカード処理ユニット４０と、プリペイドカード５を受け入れ、該プリペイドカード５に対応付けられている残高に対応する現金を払い出す精算処理を行うカード精算機５０と、島構成要素（カード処理ユニット４０や遊技機４５等）の制御を司る島コントローラ６０とをローカル・エリア・ネットワーク（ＬＡＮ）７０を介して通信可能に接続して構成される。
【００２４】
管理装置１０は、遊技システム全体を制御統括するコントローラ（ターミナル・コントローラ：以下、「Ｔ／Ｃ」と言う）であり、例えば、図２に示すように、制御部であるＣＰＵ１１、ハードディスクなどの記憶装置１２、動作プログラム等を記憶するメモリ１３、マウスやキーボード等の入力装置１４、ＣＲＴ等の表示装置１５、ＬＡＮ７０を介してカード発行機２０、カード処理ユニット４０、カード精算機５０等の被管理装置との通信を行う通信インタフェース（Ｉ／Ｆ）部１６を備えたＰＣ（パーソナル・コンピュータ）等の情報処理端末により構成される。
【００２５】
Ｔ／Ｃ１０のメモリ１３には、プリペイドカードのカードＩＤごとにその残高を管理するプリペイドカード管理テーブル１３１と、端数の金額単位を記憶する設定記憶領域１３２とが記憶されている。この設定記憶領域１３は、パチンコ玉の貸出単位額（１００円）に消費税（５％）を加算した消費税内包貸出単位額（１０５円＝１度数）を記憶しており、この設定記憶領域１３に記憶したデータは消費税が変更されたような場合に適宜更新することができる。
【００２６】
プリペイドカード管理テーブル１３１は、図３に示すように、カードＩＤ毎に、発行日時、発行金額、当初度数および使用度数などの各種データが記憶されている。発行金額の欄には、当該プリペイドカード５を購入する際に遊技客が支払った購入額が登録されており、当初度数の欄には、発行金額に対応する度数が登録され、残度数には残り度数が登録され、使用度数には使用済みの度数が登録される。
【００２７】
すなわち、本実施例１では、プリペイドカードの残高を従来から広く用いられている「度数」と呼ばれる指標を利用して管理する場合を示しており、通常１度数が１００円に対応づけられるが、ここでは５％の消費税を考慮して１度数が１０５円に対応づけられている。
【００２８】
ここで、発行金額が１００００円の場合に、１００００÷１０５＝９５．２３…となるため、発行金額に９５度数を対応づけることが考えられるが、これでは１度数に満たない端数金額２５円が出てしまう。そして、カード処理機４０では１０５円単位（＝１度数単位＝パチンコ玉２５個）でしか処理を行えないので、かかる端数金額分は玉貸しすることができず、結果的にこの端数金額の取り扱いが不便となる。そこで、本実施例１では、発行金額が１００００円である場合に、当初度数を９５度数とするのではなく、この９５度数に１度数付加した９６度数を当初度数にすることとしている。
【００２９】
Ｔ／Ｃ１０は、上記プリペイド管理テーブル１３１に記憶された有価価値管理情報を用いて、対応するプリペイドカード５に記録された識別データ（カードＩＤ）に対応する残高を管理している。この有価価値管理情報の内容は、遊技者による遊技中、あるいは、遊技の終了時に適宜更新される。一方、プリペイドカード５は、カード発行機２０にて貨幣などを受け入れて発行される紙製の磁気記録カードである。
【００３０】
遊技客が、プリペイドカード５を購入するために、カード発行機２０に貨幣を投入して所定の発行操作を行うと、プリペイドカード５に所定事項が印字・記録されて該プリペイドカード５が発行される。この時、カード発行機２０からＴ／Ｃ１０にプリペイドカード５のカードＩＤ、発行金額などが送出され、Ｔ／Ｃ１０のプリペイドカード管理テーブル１３１（図３参照）に有価価値（発行金額に対応する残額）等がカードＩＤに対応付けられて書き込まれ、該プリペイドカード５がカード処理ユニット４０などで使用可能になる。
【００３１】
カード処理ユニット４０は、各遊技機４５間（台間）にそれぞれ配設されており、遊技機４５が備える玉投出機構と連携してパチンコ玉の貸し出しを行う。このカード処理ユニット４０の前面パネルには、紙幣投入口、硬貨投入口、カード挿入口、金額表示部などが設けられており、遊技機４５には、度数表示部、貸出ボタンなどが設けられている。
【００３２】
遊技者は、予め、カード処理ユニット４０にプリペイドカード５（場合によっては、さらに現金）を投入するとともに、必要に応じて貸出単位（１回の貸出操作により貸し出される度数）を設定しておく。そして、遊技者が貸出ボタンを操作すると、玉投出機構が作動し、遊技機４５の上皿へと貸出単位分のパチンコ玉が投出される。この投出代金は、カードの識別データに対応して予め登録されている価値情報から減算される。
【００３３】
カード処理ユニット４０にプリペイドカード５が装填された状態で、貨幣が直接投入された場合には、貨幣を受け入れて、プリペイドカード５に度数を追加することも可能である。遊技者は、このようにして貸し出された玉を用いて、遊技機４５において遊技を行う。
【００３４】
遊技終了後、カード処理ユニット４０から抜き出したプリペイドカード５等に残度数がある場合、遊技客は、希望により残度数をカード精算機５０により精算することができる。遊技客が精算を希望するプリペイドカード５をカード精算機５０に挿入すると、カード精算機５０は該プリペイドカード５からカードＩＤを読み取り、該読み取ったカードＩＤをキーにＴ／Ｃ１０に残高の問合せを行なう。
【００３５】
その後、カード精算機５０は、Ｔ／Ｃ１０がカード精算機５０からの問合せのあったカードＩＤに対応する使用度数をプリペイドカード管理テーブル１３１から検索してカード精算機５０に応答情報として送出するのに合わせて、該応答情報を受信し、その後、当該使用度数分を発行金額から減じた残高に相当する現金を精算金として払い出し、払い出し（精算）終了後、プリペイドカード５を遊技客に返却する。尚、精算済みのプリペイドカード５は必ずしも返却する必要は無く、カード精算機５０の内部に回収するようにしても良い。また、このカード精算機５０では、プリペイドカード５の残額精算は千円札と１００円硬貨で行われるものとする。
【００３６】
次に、プリペイドカードの発行〜精算までの処理についてさらに具体的に説明する。図４は、本実施例１に係る遊技媒体貸出システムにおけるプリペイドカードの発行〜精算までの処理を説明するための説明図である。
【００３７】
図４に示すように、遊技客がカード発行機２０に現金を投入して所望の金額ボタンを押下すると（図中に示す１）、カード発行機２０からＴ／Ｃ１０に対してカード登録依頼がなされ（図中に示す２）、プリペイドカード管理テーブル１３１に登録がなされたならば（図中に示す３）、登録完了がカード発行機２０に対して通知され（図中に示す４）、これに応答してプリペイドカードが発行される（図中に示す５）。
【００３８】
具体的には、遊技客を１００００円を投入して１００００円カードの発行ボタンを押下すると、例えばプリペイドカード管理テーブル１３１のカードＩＤ００２９８の欄に発行金額１００００円、当初度数９６、残度数９６、使用度数０が書き込まれた後に、このカードＩＤ００２９８が書き込まれたプリペイドカードが発行される。
【００３９】
ここで、本実施例１の特徴は、当初度数が９５度数のプリペイドカードではなく当初度数が９６度数のプリペイドカードを発行する点にその特徴がある。すでに説明したように、１度数は消費税込みで１０５円であるので１００００円で９５度数までしか関連付けることができないが、当初度数を９５度数としてしまうとパチンコ玉を貸し出すことができない端数２５円を別管理せねばならず効率的ではない。特に、以降のカード処理ユニット４０やカード精算機５０は、度数対応の機能しか有していないため、かかる端数に対応する機能を付加せねばならなくなる。このため、本実施例１では、本来１００００円で関連付けられる９５度数に１度数加算した９６度数を登録することとしている。
【００４０】
図４の説明に戻ると、カード発行機２０から発行されたプリペイドカードは、遊技機４５に併設されたカード処理ユニット４０に挿入され（図中に示す６）、遊技台の玉／メダル貸出ボタンが押下されると（図中に示す７）、カード処理ユニット４０とＴ／Ｃ１０の間でデータ授受がなされてプリペイドカード管理テーブル１３１の残度数および使用度数を更新しつつ（図中に示す８）パチンコ玉が遊技台の上皿に投出される。例えば、１回の貸出ボタン操作で５度数分の玉貸しをおこなう場合には、１４回の貸出ボタン操作がなされた際に、カードＩＤ００２９８の残度数が２６となり使用度数が７０となる。
【００４１】
ここで、遊技機４５のカード返却ボタンが押下されたならば、カード処理ユニット４０はプリペイドカードを返却し（図中に示す９）、他の遊技機での遊技若しくは精算が可能となる。ただし、プリペイドカードの残度数が０になると、プリペイドカードをカード処理ユニット４０の内部に取り込むか又は精算できない使用済みのプリペイドカードとして装置外へと排出される。
【００４２】
その後、このプリペイドカードがカード精算機５０に挿入されると（図中に示す１０）、カード精算機５０はＴ／Ｃ１０に対して使用度数及び発行金額を問い合わせ（図中に示す１１）、Ｔ／Ｃ１０のプリペイドカード管理テーブル１３１に登録した使用度数及び発行金額をカード精算機５０へと通知し（図中に示す１２）、カード使用度数、使用金額、カード残高及び精算額を表示パネルに表示し（図中に示す１３）、精算ボタンが押下されると（図中に示す１４）、表示パネルに表示した精算額を出金する。具体的には、使用度数×１０５円により使用金額を算定し、使用金額分を発行金額から減じればカード残高が得られる。例えば、カードＩＤ００２９８のプリペイドカードが挿入された場合には、発行金額１００００円（９６度数）、使用度数７０度数、使用金額７３５０円（＝７０×１０５円）、カード残高２６５０円、精算額２７００円という表示をおこない、精算ボタンが押下されると、表示パネルに表示した精算額２７００円を出金することになる。なお、カード残高よりも精算額がやや多くなるが、これは端数分のサービスとして遊技店が負担する。また、ここでは使用度数をＴ／Ｃ１０から取得することとしたが、残度数をＴ／Ｃから取得し、この（当初度数−１）から残度数を減じることにより使用度数を取得することもできる。
【００４３】
次に、図１に示したカード発行機２０によるカード発行時の処理手順について具体的に説明する。図５は、図１に示したカード発行機２０によるカード発行時の処理手順を示すフローチャートである。
【００４４】
同図に示すように、当初カード発行機２０は現金の投入待ちの状態にあり（ステップＳ１０１）、現金が投入されたならば（ステップＳ１０２）、投入された貨幣の金額判定をおこない（ステップＳ１０３）、当該金額以下の選択ボタンを点灯させ（ステップＳ１０４）、選択ボタンの受付待ちの状態になる（ステップＳ１０４否定〜１０６否定）。なお、返却操作がなされたならば（ステップＳ１０６肯定）、投入された現金を返却して（ステップＳ１０７）処理を終了する。
【００４５】
これに対して、いずれかの選択ボタンが押下されたならば（ステップＳ１０４肯定）、Ｔ／Ｃ１０に対して度数算出依頼をおこなう（ステップＳ１０５）。この度数算出依頼を受け付けたＴ／Ｃ１０は、投入金額を１０５で除算して度数ａを算出し（ステップＳ１０８）、余りが存在しない場合には（ステップＳ１０９否定）度数ａカードの登録処理を行い（ステップＳ１１０、Ｓ１１２）、余りが存在する場合には（ステップＳ１０９肯定）度数ａ＋１カードの登録処理を行う（ステップＳ１１１、Ｓ１１２）。この度数ａ＋１カードとは、度数ａカードに１度数加算した度数を関連付けたカードであり、例えば１００００円カードの場合には度数ａカードが９５度数のプリペイドカードであり、度数ａ＋１カードが９６度数のプリペイドカードである。
【００４６】
その後、Ｔ／Ｃ１０がカード発行機２０に対して登録完了通知をおこなうと（ステップＳ１１３）、カード発行機２０はこの登録完了通知を受信して（ステップＳ１１４）、カードＩＤが記憶されたプリペイドカードを発行する（ステップＳ１１５）。なお、釣り銭がある場合には（ステップＳ１１６肯定）釣り銭を払い出した後に処理を終了する（ステップＳ１１７）。
【００４７】
ところで、上記一連の説明では、度数をＴ／Ｃ１０側で管理する場合について説明したが、本発明はこれに限定されるものではなく、度数をプリペイドカードに書き込む場合にも適用することができる。このため、かかる場合の処理手順について説明する。図６は、度数をプリペイドカードに書き込む場合のカード発行時の処理手順を示すフローチャートである。
【００４８】
図６に示すように、当初カード発行機２０は現金の投入待ちの状態にあり（ステップＳ２０１）、現金が投入されたならば（ステップＳ２０２）、投入された貨幣の金額判定をおこない（ステップＳ２０３）、当該金額以下の選択ボタンを点灯させ（ステップＳ２０４）、選択ボタンの受付待ちの状態になる（ステップＳ２０４否定〜２０５否定）。なお、返却操作がなされたならば（ステップＳ２０５肯定）、投入された現金を返却して（ステップＳ２０６）処理を終了する。
【００４９】
これに対して、いずれかの選択ボタンが押下されたならば（ステップＳ２０４肯定）、投入金額を１０５で除算して度数ａを算出し（ステップＳ２０７）、余りが存在しない場合には（ステップＳ２０８否定）度数ａカードの登録処理を行い（ステップＳ２０９、Ｓ２１１）、余りが存在する場合には（ステップＳ２０８肯定）度数ａ＋１カードの登録処理を行う（ステップＳ２１０、Ｓ２１１）。その後、釣り銭がある場合には（ステップＳ２１２肯定）釣り銭を払い出した後に処理を終了する（ステップＳ２１３）。
【００５０】
上述してきたように、本実施例１では、カード発行機２０が、パチンコ玉の貸出単位額（例えば１００円）に消費税（例えば５％）を加算した消費税内包貸出単位額（例えば１０５円＝１度数）に基づいて支払われた金額分に対応する度数を算出するとともに、この度数を算出する際に消費税内包貸出単位額未満の端数（例えば１００円未満）が生じた場合に、該算出された度数に一度数を加算して度数を調整し、調整した度数が関連づけられたプリペイドカードを発行するよう構成したので、遊技者が紙幣以外の硬貨を投入しなくともプリペイドカード発行時に消費税分を調整することができる。これにより、以後のカード処理ユニット４０およびカード精算機５０側で貸出単位額を変更するだけで円滑にプリペイドカードの処理や精算をおこなうことができる。
【００５１】
なお、本実施例１では、プリペイドカード管理テーブル１３１で残高を度数管理する場合を示したが、本発明はこれに限定されるものではなく、残高を金額で管理しておき、残高の減算を行う際に１度数分の金額を減算する場合に適用することもできる。
【実施例２】
【００５２】
ところで、上記実施例１では、カード発行機２０で消費税対応の度数調整を行うよう構成したが、カード処理ユニット４０やカード精算機５０側で消費税対応処理を行うこともできる。そこで、本実施例２では、カード処理ユニット４０やカード精算機５０側で消費税対応処理を行う場合について説明する。なお、かかる場合のシステム構成などは図１および図２に示したものと同様のものとなるので、ここではその説明を省略する。
【００５３】
図７は、本実施例２で用いるプリペイド管理テーブル１３１の一例を示す図である。同図に示すように、ここではカードＩＤごとに発行日時、発行金額および残高（残額）などを登録している。すなわち、上記実施例１と異なり、本実施例２ではカード残高を金額で管理する場合を示している。なお、プリペイドカード管理テーブル１３１ではカード残高を金額として管理するが、カード処理ユニット４０側では残高を度数で表示する。遊技客にとっては残高を金額で表示したとしても直感的に分かり難く、度数単位で表示する方が理解しやすいからである。
【００５４】
次に、本実施例２に係るプリペイドカードの発行〜精算までの処理について具体的に説明する。図８は、本実施例２に係る遊技媒体貸出システムにおけるプリペイドカードの発行〜精算までの処理を説明するための説明図である。
【００５５】
図８に示すように、遊技客がカード発行機２０に現金を投入して所望の金額ボタンを押下すると（図中に示す１）、カード発行機２０からＴ／Ｃ１０に対してカード登録依頼がなされ（図中に示す２）、プリペイドカード管理テーブル１３１に登録がなされたならば（図中に示す３）、登録完了がカード発行機２０に対して通知され（図中に示す４）、これに応答してプリペイドカードが発行される（図中に示す５）。
【００５６】
具体的には、遊技客を１００００円を投入して１００００円カードの発行ボタンを押下すると、例えばプリペイドカード管理テーブル１３１のカードＩＤ００２９８の欄に発行金額１００００円、残額１００００円が書き込まれた後に、このカードＩＤ００２９８が書き込まれたプリペイドカードが発行される。
【００５７】
その後、カード発行機２０から発行されたプリペイドカードは、遊技機４５に併設されたカード処理ユニット４０に挿入され（図中に示す６）、遊技台の玉／メダル貸出ボタンが押下されると（図中に示す７）、カード処理ユニット４０とＴ／Ｃ１０の間でデータ授受がなされてプリペイドカード管理テーブル１３１の残高を更新しつつ（図中に示す８）パチンコ玉が遊技台の上皿に投出される。例えば、１回の貸出ボタン操作で１度数分の玉貸しをおこなう場合には、２５個のパチンコ玉が投出されるとともに、１０５円が残高から減算され、同図では残高が３５９５円となった状態を示している。
【００５８】
ここで、本実施例２では、カード処理ユニット４０に残度数を表示する際に、たとえ１度数分（１０５円）の残高が残っていない場合であっても、残度数を切り上げて表示することとしている（図中に示す６）。かかる切上表示をおこなう場合は、消費税徴収に伴って生ずる端数の問題を解消するためである。加えて、かかるカード処理ユニット４０側で端数の不足分を補っているので、プリペイドカードの残高を使い切ろうとする遊技客の意欲を高めることができる。
【００５９】
このため、カードＩＤ００２９８の残高が９５円である場合に玉／メダル貸出ボタンが押下されると、カード処理ユニット４０はＴ／Ｃ１０に１０５円の減算を行うよう指示し、Ｔ／Ｃ１０では、かかる場合にプリペイドカードの残高をマイナス（95-105=-10）にするのではなく、この残高を０にして玉貸しを許容する処理を行うことになる。なお、カード残高が０になったプリペイドカードは装置内に取り込まれるか装置外部に排出される。
【００６０】
ところで、プリペイドカードの残高が０でない状態で遊技機４５のカード返却ボタンが押下されたならば、カード処理ユニット４０はプリペイドカードを返却し（図中に示す９）、他の遊技機での遊技若しくは精算が可能となる。
【００６１】
このプリペイドカードがカード精算機５０に挿入されると（図中に示す１０）、カード精算機５０はＴ／Ｃ１０に対して残高を問い合わせ（図中に示す１１）、Ｔ／Ｃ１０のプリペイドカード管理テーブル１３１に登録した残高をカード精算機５０へと通知し（図中に示す１２）、カード残高、精算額及び精算後のカード残高を表示パネルに表示し（図中に示す１３）、精算ボタンが押下されると（図中に示す１４）、表示パネルに表示した精算額を出金するとともに精算できない端数の残高をプリペイドカードに関連付けて投出する（図中に示す１５）。
【００６２】
例えば、カードＩＤ００２９８のプリペイドカードが挿入された場合には、カード残高３５９５円、精算額３５００円、精算後のカード残高９５円という表示をおこない、精算ボタンが押下されると、３５００円を出金するとともに残金９５円分を関連付けたプリペイドカードを投出する。
【００６３】
なお、このプリペイドカードを当日若しくは翌日以降にカード発行機２０に投入して現金を追加入金することにより、カード残高を更新することができる（図中に示す１６）。例えば１００００円を追加入金した場合には、残高は１００９５円に更新されることになる。これにより、消費税徴収に伴う端数を有効利用することができ、遊技客の不利をなくすことができる。
【００６４】
ところで、上記説明では、端数の残高をプリペイドカードに関連付けて投出することとしたが、本発明はこれに限定されるものではなく、端数分のパチンコ玉をカード精算機５０から投出するよう構成することもできる。かかる構成を採用すれば、消費税徴収に伴って生じる精算時の端数の問題をパチンコ玉投出により解消することができる。特に、遊技客および遊技店の両者から見て公平な調整を行い得るというメリットが得られる。
【００６５】
次に、本実施例２に係るカード処理ユニット４０の処理手順について具体的に説明する。なお、ここでは図８において説明した度数の繰り上げ表示を単純に行うのではなく、１度数分の残高（金額）が存在しない場合に、後述するような特殊な表示を行う場合を示している。
【００６６】
図９は、本実施例２に係るカード処理ユニット４０の処理手順を示すフローチャートである。同図に示すように、当初カード処理ユニット４０はプリペイドカードの投入待ちの状態にあり（ステップＳ３０１）、プリペイドカードが投入されたならば（ステップＳ３０１肯定）、プリペイドカードのカードＩＤがＴ／Ｃ１０に送信される（ステップＳ３０２）。このカードＩＤを受信したＴ／Ｃ１０は、プリペイドカード管理テーブル１３１に登録されたカード残高を確認し（ステップＳ３０３）、カード残高をカード処理ユニット４０に送信する（ステップＳ３０４）。
【００６７】
その後、カード処理ユニット４０は、カード残高が１０５円未満であるか否かを調べ（ステップＳ３０５）、残高が１０５円以上である場合には（ステップＳ３０５否定）、その残高に対応する度数表示を行う（ステップＳ３０６）。なお、度数表示ではなく金額表示を行うこともできる。一方、残高が１０５未満である場合には（ステップＳ３０５肯定）、「１回（２５個）玉貸し可能です」と表示する（ステップＳ３０７）。かかる表示を行うこととした理由は、１度数分の残高が存在しないにも係わらず２５個の貸し出しをサービスとして行っている旨を遊技客に通知して、遊技意欲の向上を図るためである。ただし、図８で説明したように、端数分を繰り上げて一度数多く表示することもできる。
【００６８】
そして、遊技客による玉貸し操作若しくはカード返却操作待ちの状態となり（ステップＳ３０８否定〜Ｓ３０９否定）、玉貸しボタンが押下されたならば（ステップＳ３０８肯定）、Ｔ／Ｃ１０に残高更新指示を行い（ステップＳ３１１）、返却操作がなされたならば（ステップＳ３０９肯定）、プリペイドカードを返却して処理を終了する（ステップＳ３１０）。
【００６９】
この残高更新指示を受け付けたＴ／Ｃ１０は、玉貸し分の金額を残高から減算する残高更新処理を行って、更新後の残高を該当するカードＩＤの残高に記録し（ステップＳ３１２〜Ｓ３１３）、その残高をカード処理ユニット４０に送信する（ステップＳ３１４）。その際、元の残高が１０５以下であり更新後の残高がマイナスとなった場合には、残高をマイナスにするのではなく０にする。なお、かかる残高をマイナスで記録し、消費税に伴うマイナス分を後日集計することもできる。
【００７０】
この残高を受信したカード処理ユニット４０は、遊技台へ玉貸し依頼を行うとともに（ステップＳ３１５）、残高が０であるか否かを調べ（ステップＳ３１６）、残高が０である場合には（ステップＳ３１６肯定）プリペイドカードを返却又は取り込み（ステップＳ３１７）、残高が０でない場合には（ステップＳ３１６否定）ステップＳ３０５に移行して貸出処理を継続する。なお、残高のマイナスを書き込むこととした場合には、０以下である場合にプリペイドカードを返却又は取り込むことになる。
【００７１】
ところで、上記一連の説明では、度数をＴ／Ｃ１０側で管理する場合について説明したが、本発明はこれに限定されるものではなく、度数をプリペイドカードに書き込む場合にも適用することができる。このため、かかる場合の処理手順について説明する。図１０は、度数をプリペイドカードに書き込む場合のカード処理ユニット４０の処理手順を示すフローチャートである。
【００７２】
図１０に示すように、当初カード処理ユニット４０はプリペイドカードの投入待ちの状態にあり（ステップＳ４０１）、プリペイドカードが投入されたならば（ステップＳ４０１肯定）、プリペイドカードに記録された残高が読み取られる（ステップＳ４０２）。
【００７３】
その後、カード処理ユニット４０は、カード残高が１０５円未満であるか否かを調べ（ステップＳ４０３）、残高が１０５円以上である場合には（ステップＳ４０３否定）、その残高に対応する度数表示を行う（ステップＳ４０４）。一方、残高が１０５未満である場合には（ステップＳ４０３肯定）、「１回（２５個）玉貸し可能です」と表示する（ステップＳ４０５）。
【００７４】
そして、遊技客による玉貸し操作若しくはカード返却操作待ちの状態となり（ステップＳ４０６否定〜Ｓ４０７否定）、返却操作がなされたならば（ステップＳ４０７肯定）、プリペイドカードを返却して処理を終了する（ステップＳ４０８）。一方、玉貸しボタンが押下されたならば（ステップＳ４０６肯定）、遊技台へ玉貸し依頼を行うとともに（ステップＳ４０９）、残高の金額を算定してこれをプリペイドカードに記録し（ステップＳ４１０〜Ｓ４１１）。
【００７５】
その後、カード処理ユニット４０は、残高が０であるか否かを調べ（ステップＳ４１２）、残高が０である場合には（ステップＳ４１２肯定）プリペイドカードを返却又は取り込み（ステップＳ４１３）、残高が０でない場合には（ステップＳ４１２否定）ステップＳ４０３に移行して貸出処理を継続する。
【００７６】
上述してきたように、本実施例２では、、パチンコ玉の貸出単位額（１００円）に消費税（５％）を加算した消費税内包貸出単位額（１０５円）に基づいてプリペイドカードの残高が所在する範囲でパチンコ玉の貸出処理を行うとともに、プリペイドカードに関連付けられた残高が消費税内包貸出単位額（１０５円）未満の端数である場合に、一貸出単位額分（一度数分）のパチンコ玉の貸出処理を行うよう構成したので、プリペイドカードに端数が残っている場合であってもカード処理ユニット４０で端数に伴う問題を効率良く解消することができる。特に、かかるカード処理ユニット４０側で端数の不足分を補っているので、プリペイドカードの残高を使い切ろうとする遊技客の意欲を高めることができる。
【００７７】
また、本実施例２では、パチンコ玉の貸出単位額（１００円）に消費税（５％）を加算した消費税内包貸出単位額（１０５円）に基づいてパチンコ玉の貸出処理を行ったプリペイドカードの残高に、当該装置により払出し可能な任意の金種未満の端数があるか否かを判定し、端数があると判定された場合に、当該端数分のパチンコ玉を投出するよう構成したので、消費税徴収に伴って生じる精算時の端数の問題をパチンコ玉投出により解消することができる。特に、遊技客および遊技店の両者から見て公平な調整を行い得るというメリットが得られる。
【００７８】
なお、本実施例２では、端数があると判定された場合に、当該端数分のパチンコ玉を投出することとしたが、本発明はこれに限定されるものではなく、端数分を価値付けたプリペイドカードや端数が記載されたレシートを発行することもできる。かかるレシートをカウンターに持参することにより景品やパチンコ玉に交換することもできる。
【産業上の利用可能性】
【００７９】
本発明にかかる記録媒体発行装置、記録媒体処理装置、記録媒体精算装置、記録媒体発行方法、記録媒体処理方法および記録媒体精算方法は、プリペイドカードシステム等を導入するパチンコ店などの遊技店が遊技客から消費税を徴収する場合に有用である。
【図面の簡単な説明】
【００８０】
【図１】本実施例１に係る遊技媒体貸出システムの全体構成を示すブロック図である。
【図２】図１に示した管理装置（Ｔ／Ｃ）の構成を示すブロック図である。
【図３】図１に示したプリペイドカード管理テーブルの一例を示す図である。
【図４】本実施例１に係る遊技媒体貸出システムにおけるプリペイドカードの発行〜精算までの処理を説明するための説明図である。
【図５】図１に示したカード発行機によるカード発行時の処理手順を示すフローチャートである。
【図６】度数をプリペイドカードに書き込む場合のカード発行時の処理手順を示すフローチャートである。
【図７】本実施例２で用いるプリペイド管理テーブルの一例を示す図である。
【図８】本実施例２に係る遊技媒体貸出システムにおけるプリペイドカードの発行〜精算までの処理を説明するための説明図である。
【図９】本実施例２に係るカード処理ユニットの処理手順を示すフローチャートである。
【図１０】度数をプリペイドカードに書き込む場合のカード処理ユニットの処理手順を示すフローチャートである。
【符号の説明】
【００８１】
５  プリペイドカード
１０  管理装置（ターミナル・コントローラ：Ｔ／Ｃ）
１１  制御部（ＣＰＵ）
１２  記憶装置
１３  メモリ
１３１  プリペイドカード管理テーブル
１３２  設定記憶領域
１４  入力装置
１５  表示装置
１６  通信インタフェース（Ｉ／Ｆ）部
２０  カード発行機
４０  カード処理ユニット
４５  遊技機
５０  カード精算機
６０  島コントローラ
７０  ＬＡＮ
【図１】
2006122099.tif 000003
【図２】
2006122099.tif 000004
【図３】
2006122099.tif 000005
【図４】
2006122099.tif 000006
【図５】
2006122099.tif 000007
【図６】
2006122099.tif 000008
【図７】
2006122099.tif 000009
【図８】
2006122099.tif 000010
【図９】
2006122099.tif 000011
【図１０】
2006122099.tif 000012